(57)【特許請求の範囲】
【請求項１】
釣り用リールのカウンタケースをリール本体の上部に取り付ける釣り用リールのカウンタケース取付構造であって、
前記リール本体の上面に上側に突出して形成され、上側に開口する雌ねじ部を有するボス部と、
前記カウンタケースに上下方向に貫通して形成された貫通孔と、
前記カウンタケースの上側から装着され、前記カウンタケースの上面に接触する頭部と、前記頭部の先端に前記頭部より小径に形成され前記貫通孔を貫通して前記雌ねじ部に螺合する雄ねじ部とを有する固定部材と、
を備え、
前記カウンタケースは、側部に突出して形成され且つ前記貫通孔が上下方向に貫通して形成された突出部を、有し、
前記ボス部は前記カウンタケースの側部に隣接して配置され、且つ前記ボス部の先端部は前記突出部に当接する、
釣り用リールのカウンタケース取付構造。
【請求項２】
前記リール本体は、少なくとも上部に配置され両側部を連結する連結部材を有する枠部材と、前記枠部材の両側部を覆う第１側カバー及び第２側カバーとを有しており、
前記ボス部は、少なくとも上部に配置された前記連結部材の上面に上側に突出して形成されている、
請求項１に記載の釣り用リールのカウンタケース取付構造。
【請求項３】
前記突出部の上下方向長さは、前記ボス部の上下方向長さより短い、
請求項１又は２に記載の釣り用リールのカウンタケース取付構造。
【請求項４】
前記リール本体は、前記第１側カバー及び前記第２側カバーの間の前記カウンタケースの周囲に装着され、前記突出部の上方を覆う上カバーをさらに有している、
請求項１から３のいずれか１項に記載の釣り用リールのカウンタケース取付構造。
【請求項５】
前記釣り用リールは、モータによりスプールを回転させる電動リールである、
請求項１から４のいずれか１項に記載の釣り用リールのカウンタケース取付構造。
【請求項６】
前記釣り用リールは、ハンドルの回転のみによりスプールを回転させる手巻きのカウンタリールである、
請求項１から４のいずれか１項に記載の釣り用リールのカウンタケース取付構造。
【発明の詳細な説明】
【技術分野】
【０００１】
本発明は、カウンタケース取付構造、特に、釣り用リールのカウンタケースをリール本体の上部に取り付ける釣り用リールのカウンタケース取付構造に関する。
【背景技術】
【０００２】
一般に、釣り用リールは、リール本体と、リール本体に装着されたスプールと、スプールを回転させるハンドルとを備えている。このような釣り用リールのうち、電動リールやカウンタリールでは、リール本体の枠部材（フレーム）の上部には、カウンタケースが固定されている。カウンタケースの上面には、水深表示用の液晶ディスプレイからなる表示部と、表示部の周囲に設けられ各種の操作を行うスイッチ操作部とが配置されている。カウンタケースの内部には、表示部やスイッチ操作部に接続され表示部等を制御するための電気部品が収納されている。
【０００３】
このようなカウンタケースは、カウンタケースの下部に突出し下側が開口する雌ねじ部を有するボス部が形成されており、カウンタケースを枠部材の上部に載置したとき枠部材を上下方向に貫通する貫通孔にボス部を貫通させた状態で、下側から挿入されたボルト部材を螺合することによって、カウンタケースを枠部材に引っ張り固定するものが知られている（たとえば、非特許文献１参照）。
【先行技術文献】
【特許文献】
【０００４】
【非特許文献１】インターネット＜ＵＲＬ：ｈｔｔｐ：／／ｆｓｅｒｖｉｃｅ．ｓｈｉｍａｎｏ．ｃｏ．ｊｐ／ｐａｒｔ／ｐｄｆ／０２４９９．ｐｄｆ＞
【発明の概要】
【発明が解決しようとする課題】
【０００５】
前記従来のカウンタケースは、カウンタケースの下部に突出するボス部が形成されているので、ボルト部材の掛かり長さを十分に確保するためには、カウンタケースのボス部の高さを大きく形成する必要が生じる。このように、ボス部の高さを大きく形成すると、カウンタケースの高さが大きくなり、リール全体が大型化するおそれがある。
【０００６】
本発明の課題は、カウンタケース取付構造において、カウンタケースの高さを小さく抑えることにある。
【課題を解決するための手段】
【０００７】
発明１に係る釣り用リールのカウンタケース取付構造は、釣り用リールのカウンタケースをリール本体の上部に取り付ける釣り用リールのカウンタケース取付構造であって、ボス部と、貫通孔と、固定部材とを備えている。ボス部は、リール本体の上面に上側に突出して形成され、上側に開口する雌ねじ部を有している。貫通孔は、カウンタケースに上下方向に貫通して形成されている。固定部材は、カウンタケースの上側から装着され、頭部と、雄ねじ部とを有している。頭部は、カウンタケースの上面に接触している。雄ねじ部は、頭部の先端に頭部より小径に形成され、貫通孔を貫通して雌ねじ部に螺合している。
【０００８】
ここでは、カウンタケースは、突出部を有している。突出部は、カウンタケースの側部に突出して形成されている。この突出部には、貫通孔が上下方向に貫通して形成されている。また、ボス部はカウンタケースの側部に隣接して配置され、且つボス部の先端部は突出部に当接する。
【０００９】
このカウンタケース取付構造では、リール本体の上面に上側に突出して形成されたボス部に、カウンタケースの上側から固定部材を装着することによって、カウンタケースをリール本体に固定している。ここでは、リール本体の上面にボス部が設けられているので、従来のようにカウンタケースにボス部を設ける必要がなくなり、このため、カウンタケースの高さを小さく抑えることができる。
【００１０】
また、この場合、固定部材の頭部が接触可能な突出部をカウンタケースの側部に設けることによって、固定部材の頭部がカウンタケースの上面に配置する必要がなくなる。
【００１１】
発明２に係るカウンタケース取付構造は、発明１のカウンタケース取付構造において、リール本体は、枠部材と、第１側カバー及び第２側カバーとを有している。枠部材は、少なくとも上部に配置され両側部を連結する連結部材を有している。第１側カバー及び第２側カバーは、枠部材の両側部を覆っている。ボス部は、少なくとも上部に配置された連結部材の上面に上側に突出して形成されている。この場合、上部に配置された連結部材の上面にカウンタケースを固定できる。
【００１２】
発明３に係るカウンタケース取付構造は、発明１又は２のカウンタケース取付構造において、突出部の上下方向長さは、ボス部の上下方向長さより短い。この場合、カウンタケースの突出部の高さを小さくしながら、ボルト部材の掛かり長さを十分に確保できる。
【００１３】
発明４に係るカウンタケース取付構造は、発明１から３のいずれか１項のカウンタケース取付構造において、リール本体は、第１側カバー及び第２側カバーの間のカウンタケースの周囲に装着され、突出部の上方を覆う上カバーをさらに有している。この場合、突出部の上面に露出する固定部材の頭部を上カバーによって閉塞できるので、固定部材の頭部に釣り糸が絡み付くのを防止できる。
【００１４】
発明５に係るカウンタケース取付構造は、発明１から４のいずれかのカウンタケース取付構造において、釣り用リールは、モータによりスプールを回転させる電動リールである。この場合、電動リールにおいて、カウンタケースの高さを小さく抑えることができる。
【００１５】
発明６に係るカウンタケース取付構造は、発明１から４のいずれかのカウンタケース取付構造において、釣り用リールは、ハンドルの回転のみによりスプールを回転させる手巻きのカウンタリールである。この場合、手巻きのカウンタリールにおいて、カウンタケースの高さを小さく抑えることができる。
【発明の効果】
【００１６】
本発明によれば、カウンタケース取付構造において、リール本体の上面に上側に突出して形成されたボス部に、カウンタケースの上側から固定部材を装着することによって、カウンタケースをリール本体に固定しているので、カウンタケースの高さを小さく抑えることができる。
【図面の簡単な説明】
【００１７】
【図１】本発明の一実施形態が採用された釣り用リールの斜視図。
【図２】前記釣り用リールの側面断面図。
【図３】前記釣り用リールのカウンタケースの平面図。
【図４】前記カウンタケースを前側から見たときの斜視図。
【図５】前記カウンタケースを左側部から見たときの斜視図。
【図６】前記釣り用リールのフレームを前側から見たときの斜視図。
【図７】前記釣り用リールの正面断面図。
【図８】前記カウンタケースの前記フレーム取付部分の拡大正面断面図。
【図９】前記カウンタケースの板状部材の拡大図。
【図１０】他の実施形態の図９に相当する図。
【発明を実施するための形態】
【００１８】
本発明の一実施形態を採用した電動リールは、図１及び図２に示すように、外部電源から供給された電力によりモータ駆動される大型の電動リールであって、糸繰り出し長さ又は糸巻き取り長さに応じて仕掛けの水深を表示する水深表示機能を有する電動リールである。
【００１９】
電動リールは、釣竿に装着可能なリール本体１と、リール本体１の側方に配置されたスプール１０の回転用のハンドル２と、ハンドル２のリール本体１側に配置されたドラグ調整用のスタードラグ３と、本発明の一実施形態による水深表示用のカウンタケース４とを主に備えている。
【００２０】
リール本体１は、フレーム７と、フレーム７の左右を覆う第１側カバー８ａ及び第２側カバー８ｂと、フレーム７の前部から後部にかけてカウンタケース４の周囲を覆う上カバー９（図２参照）とを有している。フレーム７は、たとえば、ガラス繊維を含浸したポリアミド樹脂等の合成樹脂製であり、第１側板７ａ及び第２側板７ｂと、それらを下部、後部及び前上部の３箇所で連結する複数の連結部材７ｃとを有している。
【００２１】
リール本体１の内部には、モータ１２及びハンドル２に連結された糸巻き用のスプール１０が回転自在に支持されている。スプール１０の内部に、スプール１０を糸巻き取り方向に回転駆動するモータ１２が配置されている。また、リール本体１の内部には、スプール１０に連動して動作するレベルワインド機構１３（図２参照）やハンドル２及びモータ１２の回転をスプール１０に伝達する図示しない回転伝達機構等が設けられている。回転伝達機構に設けられた図示しない遊星歯車機構にモータ１２が連結されている。
【００２２】
ハンドル２側の第２側カバー８ｂの中央下部には、図１に示すように、ハンドル２が回転自在に支持されている。また、ハンドル２の支持部分の上方前部には、モータ１２を複数段階に制御するための調整レバー５が揺動自在に支持されている。調整レバー５の後方には、クラッチ操作部材１１が揺動自在に配置されている。クラッチ操作部材１１は、ハンドル２及びモータ１２とスプール１０との駆動伝達をオン、オフする図示しないクラッチをオン、オフ操作するための部材である。このクラッチをオンすると、仕掛けの自重による糸繰り出し中に、糸繰り出し動作を停止できる。ハンドル２と逆側の第１側カバー８ａには、電源ケーブル接続用のコードコネクタ１４が下向きに装着されている。
【００２３】
上カバー９は、図１に示すように、フレーム７の前部から後部にかけてカウンタケース４の周囲を覆うカバー部材であって、後部はサムレストとしても機能している。上カバー９は、下側から挿入された図示しない６本のボルト部材によりカウンタケース４及びフレーム７に固定されている。上カバー９は、カウンタケース４に装着したとき、後述するカウンタケース４の突出部４ｂの上方を覆う形状に形成されている。ここでは、突出部４ｂの上面に露出する後述するボルト部材７０の頭部７０ａを上カバー９によって閉塞できる。また、上カバー９には、図２に示すように、前部に釣り糸通過用の横長の開口９ａが形成されている。下部の連結部材７ｃには、電動リールを釣竿に装着するための竿装着脚部７ｄが形成されている。
【００２４】
リール本体１の上部の連結部材７ｃには、図１及び図２に示すように、釣り糸の先に装着された仕掛けの水深を表示するカウンタケース４が固定されている。
【００２５】
上部の連結部材７ｃは、図６から図８に示すように、上面に上側に突出して形成された２つのボス部７ｅを有している。２つのボス部７ｅは、上部の連結部材７ｃの上面に間隔をあけて配置されている。ボス部７ｅは、上側に開口する雌ねじ部７ｆを有している。雌ねじ部７ｆは、後述するボルト部材７０の雄ねじ部７０ｂが螺合可能である。
【００２６】
カウンタケース４は、図４、図５、図７及び図８に示すように、上部の連結部材７ｃの上面に上側に突出して形成されたボス部７ｅに、カウンタケース４の上側からボルト部材７０を装着することによって、カウンタケース４を上部の連結部材７ｃに固定している。
【００２７】
カウンタケース４は、図４及び図５に示すように、筐状のケース本体４ａと、ケース本体４ａの両側部にそれぞれ側方に突出して形成された２つの突出部４ｂと、突出部４ｂの上下方向を貫通する貫通孔４ｃとを有している。
【００２８】
突出部４ｂは、図４及び図５に示すように、ボルト部材７０の頭部７０ａよりやや大きい筒状部分であって、ボルト部材７０を貫通孔４ｃに挿入したときに、突出部４ｂの上面にボルト部材７０の頭部７０ａが接触可能である。突出部４ｂの上下方向長さは、ボス部７ｅの上下方向長さより短くなるように形成されており、ボルト部材７０を貫通孔４ｃに挿入したときに、突出部４ｂより下方に延びたボルト部材７０の雄ねじ部７０ｂがボス部７ｅの雌ねじ部７ｆに確実に螺合できる。
【００２９】
ボルト部材７０は、図４及び図５に示すように、突出部４ｂの上側から装着され、突出部４ｂの上面に接触する頭部７０ａと、頭部７０ａの先端に頭部７０ａより小径に形成され貫通孔４ｃを貫通してボス部７ｅの雌ねじ部７ｆに螺合する雄ねじ部７０ｂとを有している。ここでは、２つのボルト部材７０が、２つの突出部４ｂの２つの貫通孔４ｃを貫通して２つのボス部７ｅの２つの雌ねじ部７ｆに螺合している。
【００３０】
このようなカウンタケース４をリール本体１の上部の連結部材７ｃに取り付けるには、図７及び図８に示すように、カウンタケース４を上部の連結部材７ｃの上面に載置した状態で、カウンタケース４の２つの突出部４ｂの上側から２つのボルト部材７０を２つの貫通孔４ｃを貫通させて、２つのボルト部材７０の雄ねじ部７０ｂを上部の連結部材７ｃの上側に突出して形成された２つのボス部７ｅの２つの雌ねじ部７ｆに螺合させることによって、カウンタケース４を上部の連結部材７ｃに固定している。
【００３１】
カウンタケース４は、図２及び図３に示すように、リール本体１の前上部に載置されており、リール本体１の第１側板７ａ及び第２側板７ｂに固定されている。カウンタケース４の上面部には、液晶ディスプレイを有する表示部６２が設けられ、カウンタケース４の内部には、図示しない各種の制御を行う制御部を備えている。
【００３２】
カウンタケース４の側部には、図５に示すように、各種の電気部品に配線するための図示しないリード線をカウンタケース４の外部に取り出すための開口部４ｄが形成されている。開口部４ｄには、開口部４ｄより大きい矩形の板状部材８０がカウンタケース４の裏面側から装着固定されている。板状部材８０には、図５及び図９に示すように、複数の円形の貫通孔８０ａが形成されており、これらの貫通孔８０ａにリード線を挿通可能である。貫通孔８０ａは、図９に示すように、前側（図９左側）にやや大きい円形の貫通孔が４個配置され、後側（図９右側）にやや小さい円形の貫通孔が６個配置されている。ここでは、貫通孔８０ａにリード線を挿通することでリード線の位置決めを行うことができるので、貫通孔８０ａにリード線を挿通した後にシリコンコーキング処理による防水処理を安定した状態で行うことができる。
【００３３】
また、表示部６２の後方には、図３に示すように、寸動巻き上げスイッチＳＷ１、モード切り換えスイッチＳＷ２及び０セットスイッチＳＷ３が配置されている。
【００３４】
寸動巻き上げスイッチＳＷ１は、スイッチ操作をしている間だけモータ１２を駆動し釣り糸を少しだけ巻き上げるためのスイッチである。
【００３５】
モード切り換えスイッチＳＷ２は、モードを切り換えるためのスイッチである。モード切り換えスイッチＳＷ２を操作する毎に上からモード（仕掛けの水深を水面からの深さで表示するモード）と、底からモード（仕掛けの水深を水底からの水深で表示するモード）とに切り換える。また、モード切り換えスイッチＳＷ２を３秒以上長押しすると、寸動巻き上げ速度を変更するモードに移行し、後述する表示部６２のタイマ速度表示領域６２ｃに現在の寸動巻き上げ速度が点滅表示される。そして、調整レバー５の前後方向の揺動操作又はモード切り換えスイッチＳＷ２の押圧操作の回数によって、寸動巻き上げ速度を増減し、０セットスイッチＳＷ３を操作することによって、寸動巻き上げ速度が設定され、タイマ速度表示領域６２ｃが点灯表示になる。
【００３６】
０セットスイッチＳＷ３は、３秒以上操作すると、カウンタを０にリセットするためのスイッチである。
【００３７】
表示部６２は、図３に示すように、上側中央に配置された３桁表示の水深表示領域６２ａと、その右下方に配置された３桁表示のメモ水深表示領域６２ｂと、水深表示領域６２ａの左下方に配置された２桁表示のタイマ速度表示領域６２ｃとを有している。表示部６２のタイマ速度表示領域６２ｃの上方には「通信中」を表す図形、底からモードを表す「底」の文字、速度モードを表す「速」の文字、「バッテリ状態」を表す図形及びさそいモードを表す「さそい」の文字が表示されている。
【００３８】
タイマ速度表示領域６２ｃは、図３に示すように、スプール１０の釣り糸繰り出し方向の回転が検出されているとき（釣り糸が繰り出されているとき）は、釣り糸繰り出し速度（スプール１０の回転速度）を演算して得られた速度単位系の数値を表示し、スプール１０の釣り糸繰り出し方向の回転が所定時間以上検出されなかったとき（スプール１０の釣り糸繰り出し方向の回転が停止したとき）にモータ１２の駆動により釣り糸を巻き上げていないとき（モータ１２が停止したときやハンドル２による手巻きをしているとき）は、釣り糸繰り出し速度に代えて経過時間を０、１、２のように１分単位で表示し、モータ１２の駆動により釣り糸を巻き上げているときは、釣り糸繰り出し速度や経過時間に代えて経過時間が表示されていた表示領域に、モータ１２の速度である調整レバー５の位置（段数）を、たとえば、３１段階で表示する。タイマ速度表示領域６２ｃでは、モータ１２の駆動により釣り糸を巻き上げているときは、モータ１２の速度である調整レバー５の位置（段数）を優先して表示させ、スプール１０の釣り糸繰り出し方向の回転が検出されているとき（釣り糸が繰り出されているとき）でも釣り糸繰り出し速度（スプール１０の回転速度）を表示させないようになっている。また、タイマ速度表示領域６２ｃでは、釣り糸繰り出し速度（スプール１０の回転速度）を優先して表示させ、経過時間を表示させないようになっている。タイマ速度表示領域６２ｃでは、釣り糸繰り出し速度や経過時間を他の表示部分と異なる色で１秒毎に点滅表示し、モータ１２の速度である調整レバー５の位置（段数）を他の表示部分と同様に点灯表示するようになっている。
【００３９】
このような構成の釣り用リールでは、釣り糸を繰り出すときには、クラッチ操作部材１１を手前（後方）に操作することによりクラッチをオフする。クラッチオフすると、スプール１０が自由回転状態になり、釣り糸に装着された重りの自重により釣り糸がスプール１０から繰り出される。釣り糸が繰り出されるとスプール１０が糸繰り出し方向に回転し、図示しないスプールセンサの検出パルスにより表示部６２の水深表示が繰り出し量に応じて変化する。仕掛けが棚に到達すると、ハンドル２を糸巻き取り方向に回して図示しないクラッチ戻し機構によりクラッチをオンして釣り糸の繰り出しを停止する。
【００４０】
魚等の当たりがあると、調整レバー５を操作し釣り糸を巻き上げる。調整レバー５を図１時計回りに揺動させると、その揺動角度に応じてスプール１０の回転速度又は釣り糸に作用する張力の最大値を段階的に設定できる。
【００４１】
このような電動リールでは、リール本体１の上部の連結部材７ｃの上面に上側に突出して形成されたボス部７ｅに、カウンタケース４の突出部４ｂの上側からボルト部材７０を装着することによって、カウンタケース４をリール本体１の上部の連結部材７ｃに固定している。ここでは、リール本体１の上部の連結部材７ｃの上面にボス部７ｅが設けられているので、従来のようにカウンタケース４にボス部を設ける必要がなくなり、このため、カウンタケース４の高さを小さく抑えることができる。
【００４２】
〔他の実施形態〕
（ａ）  前記実施形態では、外部電源から供給された電力によりモータ駆動される電動リールを例にあげて説明したが、これに限定されるものではなく、たとえば、フレーム７の上面にカウンタケース４が装着され、ハンドル２の回転のみによりスプール１０を回転させる手巻きのカウンタリールであってもよい。
【００４３】
（ｂ）  前記実施形態では、板状部材８０の貫通孔８０ａは、複数の円形の貫通孔であったが、これに限定されるものではなく、図１０に示すように、複数の矩形（格子状）の貫通孔であってもよい。
【符号の説明】
【００４４】
１  リール本体
２  ハンドル
３  スタードラグ
４  カウンタケース
４ａ  ケース本体
４ｂ  突出部
４ｃ  貫通孔
４ｄ  開口部
５  調整レバー
７  フレーム
７ａ  第１側板
７ｂ  第２側板
７ｃ  連結部材
７ｄ  竿装着脚部
７ｅ  ボス部
７ｆ  雌ねじ部
８ａ  第１側カバー
８ｂ  第２側カバー
９  上カバー
９ａ  開口
１０  スプール
１１  クラッチ操作部材
１２  モータ
１３  レベルワインド機構
１４  コードコネクタ
６２  表示部
６２ａ  水深表示領域
６２ｂ  メモ水深表示領域
６２ｃ  タイマ速度表示領域
７０  ボルト部材
７０ａ  頭部
７０ｂ  雄ねじ部
８０  板状部材
８０ａ  貫通孔
ＳＷ１  寸動巻き上げスイッチ
ＳＷ２  モード切り換えスイッチ
ＳＷ３  ０セットスイッチ
【図１】
0005883241.tif 000002
【図２】
0005883241.tif 000003
【図３】
0005883241.tif 000004
【図４】
0005883241.tif 000005
【図５】
0005883241.tif 000006
【図６】
0005883241.tif 000007
【図７】
0005883241.tif 000008
【図８】
0005883241.tif 000009
【図９】
0005883241.tif 000010
【図１０】
0005883241.tif 000011